(57)【要約】      （修正有）【課題】ズボンを脱いだ時に、ズボンが床に落下するのを防止する構造のウエストベルトを提供する。【解決手段】ゴム体と表地で構成される移動可能なフラップ４付きのウエストベルトを着装し、フラップ４に縫着したテープ５の下端に設けたボタンホールを、ズボン本体の脇縫い目しりぐり高さ位置に取り付けたボタン１０にはめこむことによって、テープ５がズボンを懸架し、排泄等でズボンを脱いだ時に、ズボンが床に落下するのを防止する。【選択図】図６
0003207128.tif 000002
【実用新案登録請求の範囲】
【請求項１】
下端にボタンホールを設けたテープを縫着した二重構造で移動可能なフラップに、伸縮自在のゴム体のベルトを通し、このベルトを身体ウエストに装着し、着用するズボンの脇縫い代の股ぐり高さ位置に取り付けたボタンを、テープのボタンホールはめこむことによってズボンを懸架し、ズボンを脱いだ時に、ズボンが床に落下するのを防止する構造のウエストベルトである。
【請求項２】
このウエストベルトは、テープ下端に設けられたボタンホールを、ズボン脇縫い代に取付けられたボタンより取り外し自由のため、所有するすべてのズボンに装着することが可能である。
【考案の詳細な説明】
【技術分野】
【０００１】  本考案は、ズボンを懸架するテープを縫着した、フラップ付きのウエストベルトに関するものである。
【背景技術】
【０００２】  身体障害者、要介護者、自立して排泄はできるが、高齢あるいは運動能力の低下が顕著な人にとって、排泄時の最も困難な動作は、床に落下したズボンを元の位置に引き上げる動作である。介護者の支援を必要とするもっとも顕著な事例である。【０００３】  市販の介護衣料で、脇縫い目に縫着されたファスナーを開くことによって、ズボンの後腰部のみが解放され、排泄が出来る仕組みのものが見受けられるが、前身頃が固定されているため下着の着脱が困難である。また、ファスナーの務歯部分は固くて身体になじまず自力で折れ曲がったファスナーを伸ばして引き上げる動作は大きな苦痛をともない、介護者の支援が必要となる。（図３  特許文献１参照）
【特許文献１】実願２００２−６３５５号
【考案の概要】
【考案が解決しようとする課題】
【０００４】  排泄のため脱いだズボンが床に落下した時、介護者の支援を受けずに、かつ苦痛をともなわずに自力でズボンを引き上げることが出来るため、前述の問題を解決出来る。
【問題を解決するための手段】
【０００５】  本考案は、ズボンを懸架するテープを縫着した二重構造で移動可能なフラップに、伸縮自在のゴム体を通したベルトを身体ウエストに装着し、テープの下端に設けたボタンホールに、ズボンの脇縫い目の股ぐり高さ位置に取付けたボタンをはめこむことによって、ズボンを懸架し、ズボンを脱いだ時に、ズボンが床に落下する問題を解決している。
【考案の効果】
【０００６】  脱衣したズボンは、テープによって脇縫い目股ぐり高さ位置で懸架され、そりより下方に落下しないため、排泄後に床に落下したズボンを引き上げる動作が不要になり、排泄時の最大の苦痛が解消される。
【図面の簡単な説明】
【０００７】
【図１】  本考案のズボンの落下防止ベルトの正面図である。
【図２】  二重構造のフラップがゴム体を移動できる構造を説明した図面である。
【図３】  市販されているズボンの後身頃腰部が解放された状態の説明図。
【図４】  ズボンを懸架するために取付けたボタンの位置を説明した図面である。
【図５】  テープに設けたボタンホールに、ボタンをはめこんだ状態を説明した図面である。
【図６】  ズボンを脱いだ時、ボタンにはめこんだテープによって、ズボンが股ぐり位置で懸架され、床に落下しない状態を説明した図面である。
【考案を実施するための形態】
【０００８】  図１は本考案のウエストベルト構成の全体を説明するもので、１はベルト前部を固定するバックルである。２はベルト前部に表地を使用した部分である。この部分はバックルに固定した時にベルトが滑らないよう一定の厚みが必用であり、かつ、バックルとの摩擦による擦り切れ等のダメージを受ける可能性があるため、あえてゴムを使用せず表地を使用することとした。３は伸縮自在のゴム体であり、２の表地ベルトとつなぎ合わせてウエストベルト全体を構成している。４は二重構造のフラップでウエストベルトのゴム体部分がスライドして身体脇位置に移動出来る仕組みとなっている。５はズボンを懸架するためにフラップに縫着されたテープである。６はテープ下端に設けられたボタンホールである。
図４、１０はズボン本体脇縫い代の股ぐり高さ位置に取付けられたボタンであり、このボタンに、６のボタンホールをはめ込むことによってズボン本体が懸架され、床への落下を防止している。
【実施例】
【０００９】  ウエストベルト前端部２をバックルからはずし、フラップ４に縫着されているテープ５の下端に設けられているボタンホール６に、ズボンの脇縫い目股ぐり高さ位置に取り付けてあるボタン１０をはめ込む。次に、フラップ付きウエストベルトを身体に装着し、フラップ４を身体の脇位置に移動させる。ベルトの先端部２をバックル１に差し込み、ベルトの長さを調節して固定する。以上により装着が完了し、ズボンを脱いでもテープにより懸架されているため、ズボンが床に落下しない。【００１０】  このウエストベルトは脇縫い代の股ぐり高さ位置に、ボタンを２個取り付けるだけで、所有するすべてのズボンに利用することができるため、きわめて汎用性が高い。また、ボタンの位置は股ぐり高さ位置より、少々の違いがあっても、着用に支障はない。
【符号の説明】
【００１１】    １    バックル
２    表地を使用したウエストベルトの前部
３    ウエストベルトゴム体の部分
４    二重構造の移動式フラップ
５    フラップに縫着されたズボンを懸架するためのテープ
６    ズボン本体の脇縫い代に取付けられたボタンを、はめ込むためのボタンホール
Ｆ    ［背景技術］［０００３］のズボンの前身頃部分
Ｚ    ［背景技術］［０００３］の脇部ファスナー
Ｂ    ［背景技術］［０００３］の解放されたズボンの後身頃部分
７Ｆ  ズボン本体の前身頃部分
７Ｂ  ズボン本体の後身頃部分
８    ズボン本体の脇縫い代
９    ズボン本体の股ぐり
１０  ズボン本体の脇縫い代股ぐり高さ位置に取付けたボタン
１１  ズボン本体のウエスト上端部
【図１】
0003207128.tif 000003
【図２】
0003207128.tif 000004
【図３】
0003207128.tif 000005
【図４】
0003207128.tif 000006
【図５】
0003207128.tif 000007
【図６】
0003207128.tif 000008
【手続補正書】
【提出日】平成28年7月15日(2016.7.15)
【手続補正１】
【補正対象書類名】実用新案登録請求の範囲
【補正対象項目名】全文
【補正方法】変更
【補正の内容】
【実用新案登録請求の範囲】
【請求項１】
ウエストベルトであって、下端にボタンホールを設けたテープを縫着した二重構造で移動可能なフラップに、伸縮自在のゴム体のベルトを通し、このベルトを身体ウエストに装着し、着用するズボンの脇縫い代の股ぐり高さ位置に取り付けたボタンを、テープのボタンホールはめこむことによってズボンを懸架し、ズボンを脱いだ時に、ズボンが床に落下するのを防止する構造のウエストベルト。
【請求項２】
このウエストベルトは、テープ下端に設けられたボタンホールを、ズボン脇縫い代に取付けられたボタンより取り外し自由のため、所有するすべてのズボンに装着することが可能であることを特徴とする請求項１に記載のウエストベルト。